(57)【要約】【課題】停電により子局が内蔵バッテリーによる給電動作に切り替わった場合に、内蔵バッテリーの電力消耗を低減可能な防災用の無線通信システムを提供する。【解決手段】親局から緊急度が異なるいずれかの放送種別の放送を受信する子局２０の制御部２２は、停電検出部２４ａにて商用電源の停電を検出して内蔵バッテリー２４ｂによる給電動作に切り替わった場合、残量検出部２４ｃにて検出した内蔵バッテリー２４ｂの現在の残量が、複数の放送種別それぞれの放送の拡声部２３からの出力を許可する複数の残量領域としてあらかじめ任意に定めた領域のいずれに属しているかを判別するとともに、親局から受信した放送の放送種別を判別することにより、内蔵バッテリー２４ｂの現在の残量が属する前記残量領域に該当する放送種別の放送のみを拡声部２３から出力して住民に通知し、当該残量領域に該当していない放送種別の放送は拡声部２３からの出力を抑止する。【選択図】        図２
2013207317.tif 000002
【特許請求の範囲】
【請求項１】
緊急度が異なる複数の放送種別のうち放送内容に応じていずれかの放送種別を設定して放送を行う親局と、該親局からの放送を受信して拡声部を介して出力することによって住民に通知する子局とからなる防災用の無線通信システムにおいて、前記子局は、商用電源の停電を検出する停電検出部と、該商用電源に代わって給電動作を行う内蔵バッテリーと、該内蔵バッテリーの残量を検出する残量検出部と、を少なくとも備えるとともに、前記内蔵バッテリーの残量に関して、あらかじめ任意に定めた残量レベル閾値を用いて、複数の前記放送種別それぞれの放送について前記拡声部からの出力を許可するか否かを判別するための複数の残量領域に分割することにより、前記子局は、前記停電検出部が商用電源の停電を検出して、前記内蔵バッテリーによる給電動作に切り替えた場合に、前記残量検出部が検出した前記内蔵バッテリーの現在の残量が、複数の前記残量レベル閾値により分割された複数の前記残量領域のいずれの領域に属しているかを判別するとともに、前記親局から受信した放送の放送種別を判別して、前記内蔵バッテリーの現在の残量が属する前記残量領域に該当する放送種別の放送であった場合には、受信した放送を前記拡声部から出力して住民に通知し、一方、当該残量領域に該当していない放送種別の放送であった場合には、受信した放送は前記拡声部からの出力を抑止することを特徴とする無線通信システム。
【請求項２】
前記親局が送信する放送の複数の前記放送種別が、緊急度が高い緊急放送、緊急度が中程度の一般放送、緊急度が低い定時放送の３種類であった場合であって、かつ、前記子局が、あらかじめ定めた前記残量レベル閾値として、「高」と値が該「高」よりも低い「低」との２つの閾値を用いて３種類の前記残量領域に分割している場合、前記内蔵バッテリーの現在の残量が前記「高」の残量レベル閾値よりも高い場合には、前記親局から受信した放送の放送種別の如何によらず、受信した放送を前記拡声部から出力して住民に通知し、また、前記内蔵バッテリーの現在の残量が前記「高」以下でかつ前記「低」の残量レベル閾値よりも高い場合には、前記親局から受信した放送の放送種別が前記緊急放送、前記一般放送の放送を前記拡声部から出力して住民に通知するとともに、緊急度が低い前記定時放送の放送は前記拡声部からの出力を抑止し、さらに、前記内蔵バッテリーの現在の残量が前記「低」の残量レベル閾値以下の場合には、前記親局から受信した放送の放送種別が前記緊急放送の放送を前記拡声部から出力して住民に通知するとともに、緊急度が中程度の前記一般放送および緊急度が低い前記定時放送の放送は前記拡声部からの出力を抑止することを特徴とする請求項１に記載の無線通信システム。
【請求項３】
前記親局が送信する放送には、当該放送の放送種別を示す放送種別情報および当該放送の放送先を示す呼出先情報を少なくとも含み、前記子局は、受信した放送に含まれている前記呼出先情報が当該子局を示す情報であった場合であって、かつ、前記停電検出部にて商用電源の停電を検出していた場合には、受信した放送に含まれている前記放送種別情報が示す放送種別に基づいて、受信した放送を前記拡声部から出力するか否かを判別することを特徴とする請求項１または２に記載の無線通信システム。
【請求項４】
前記子局は、屋外に設置して付近の住民に前記親局からの放送を拡声して通知する屋外拡声装置、屋内に設置して当該屋内の住民に前記親局からの放送を拡声して通知する戸別受信機、屋外に設置して付近の住民に前記親局からの放送を拡声して通知する拡声放送機能と親局からの無線電波とは異なる無線電波を使用して前記親局からの放送を再送信する再送信機能とを併せ持った再送信局、の各子局形態のうち、いずれか１ないし複数の形態の子局形態を少なくとも含むことを特徴とする請求項１ないし３のいずれかに記載の無線通信システム。
【請求項５】
緊急度が異なる複数の放送種別のうち放送内容に応じていずれかの放送種別を設定して放送を行う親局と、該親局からの放送を受信して拡声部を介して出力することによって住民に通知する子局とからなり、前記子局への電力供給を行う商用電源が停電した場合の当該子局の動作を制御する防災用の無線通信制御方法であって、前記子局は、商用電源の停電を検出する停電検出ステップと、該商用電源に代わって給電動作を行う内蔵バッテリーと、該内蔵バッテリーの残量を検出する残量検出ステップと、を少なくとも有するとともに、前記内蔵バッテリーの残量に関して、あらかじめ任意に定めた残量レベル閾値を用いて、複数の前記放送種別それぞれの放送について前記拡声部からの出力を許可するか否かを判別するための複数の残量領域に分割することにより、前記子局は、前記停電検出ステップが商用電源の停電を検出して、前記内蔵バッテリーによる給電動作に切り替えた場合に、前記残量検出ステップが検出した前記内蔵バッテリーの現在の残量が、複数の前記残量レベル閾値により分割された複数の前記残量領域のいずれの領域に属しているかを判別するとともに、前記親局から受信した放送の放送種別を判別して、前記内蔵バッテリーの現在の残量が属する前記残量領域に該当する放送種別の放送であった場合には、受信した放送を前記拡声部から出力して住民に通知し、一方、当該残量領域に該当していない放送種別の放送であった場合には、受信した放送は前記拡声部からの出力を抑止することを特徴とする無線通信制御方法。
【請求項６】
前記親局が送信する放送の複数の前記放送種別が、緊急度が高い緊急放送、緊急度が中程度の一般放送、緊急度が低い定時放送の３種類であった場合であって、かつ、前記子局が、あらかじめ定めた前記残量レベル閾値として、「高」と値が該「高」よりも低い「低」との２つの閾値を用いて３種類の前記残量領域に分割している場合、前記内蔵バッテリーの現在の残量が前記「高」の残量レベル閾値よりも高い場合には、前記親局から受信した放送の放送種別の如何によらず、受信した放送を前記拡声部から出力して住民に通知し、また、前記内蔵バッテリーの現在の残量が前記「高」以下でかつ前記「低」の残量レベル閾値よりも高い場合には、前記親局から受信した放送の放送種別が前記緊急放送、前記一般放送の放送を前記拡声部から出力して住民に通知するとともに、緊急度が低い前記定時放送の放送は前記拡声部からの出力を抑止し、さらに、前記内蔵バッテリーの現在の残量が前記「低」の残量レベル閾値以下の場合には、前記親局から受信した放送の放送種別が前記緊急放送の放送を前記拡声部から出力して住民に通知するとともに、緊急度が中程度の前記一般放送および緊急度が低い前記定時放送の放送は前記拡声部からの出力を抑止することを特徴とする請求項５に記載の無線通信制御方法。
【請求項７】
前記親局が送信する放送には、当該放送の放送種別を示す放送種別情報および当該放送の放送先を示す呼出先情報を少なくとも含み、前記子局は、受信した放送に含まれている前記呼出先情報が当該子局を示す情報であった場合であって、かつ、前記停電検出ステップにて商用電源の停電を検出していた場合には、受信した放送に含まれている前記放送種別情報が示す放送種別に基づいて、受信した放送を前記拡声部から出力するか否かを判別することを特徴とする請求項５または６に記載の無線通信制御方法。
【請求項８】
前記子局は、屋外に設置して付近の住民に前記親局からの放送を拡声して通知する屋外拡声装置、屋内に設置して当該屋内の住民に前記親局からの放送を拡声して通知する戸別受信機、屋外に設置して付近の住民に前記親局からの放送を拡声して通知する拡声放送機能と親局からの無線電波とは異なる無線電波を使用して前記親局からの放送を再送信する再送信機能とを併せ持った再送信局、の各子局形態のうち、いずれか１ないし複数の子局形態を少なくとも含むことを特徴とする請求項５ないし７のいずれかに記載の無線通信制御方法。
【請求項９】
請求項５ないし８のいずれかに記載の無線通信制御方法を、コンピュータによって実行可能なプログラムとして実施していることを特徴とする無線通信制御プログラム。
【発明の詳細な説明】
【技術分野】
【０００１】
本発明は、無線通信システム、無線通信制御方法および無線通信制御プログラムに関し、特に、６０ＭＨｚ帯デジタル同報防災無線システムや６０ＭＨｚ帯アナログ同報防災無線システムに好適に適用することが可能な防災用の無線通信システム、無線通信制御方法および無線通信制御プログラムに関する。
【背景技術】
【０００２】
従来の防災用の無線通信システムにおいては、災害発生時等の緊急時に放送する緊急放送、通常時に行政連絡用等の放送を行う一般放送、機器の保全を確認するための定時放送と、緊急度に応じた３種類の放送種別があり、親局からの放送を子局が受信すると、子局が屋外設置の屋外拡声装置や屋内設置の戸別受信機の拡声スピーカにより、親局から受信した前述のような３種類の放送を拡声して、周辺の住民や屋内の住民に対して通知するようにしている。
【０００３】
ここで、子局は、例えば、特許文献１の特開２００７−１８９８１３号公報「戸別受信機」等に記載されているように、商用電源が正常に給電している通常時においては商用電源にて動作するが、災害発生等の非常時に停電が発生した場合には、商用電源に代わって内蔵バッテリーによる給電に切り替えて動作を継続するように構成されている。
【先行技術文献】
【特許文献】
【０００４】
【特許文献１】特開２００７−１８９８１３号公報（第４−５頁）
【発明の開示】
【発明が解決しようとする課題】
【０００５】
しかしながら、従来の防災用の無線通信システムにおいては、災害発生時等において、商用電源の停電が長時間継続するような状況が発生していた場合であっても、緊急度の最も高い緊急放送の他に、緊急度が余り高くない一般放送や、緊急ではない定時放送についても、親局からの受信があると、そのまま、拡声スピーカから出力する拡声動作を行ってしまうため、バッテリーの残量が急速に低下して、遂には、子局が動作するために必要とする電圧レベル以下に達して、子局の動作は停止してしまい、たとえ、緊急放送が送信されてきた場合であっても、住民への通知ができなくなってしまうという問題があった。
【０００６】
本発明は、かかる事情に鑑みてなされたものであり、商用電源が停電して、子局が内蔵バッテリーによる給電動作に切り替わって動作している場合において、内蔵バッテリーの電力消耗をできる限り少なくし、緊急を要する緊急放送を受信して、住民により確実に通知することを可能にする無線通信システム、無線通信制御方法および無線通信制御プログラムを提供することを、その目的としている。
【課題を解決するための手段】
【０００７】
前述の課題を解決するため、本発明による無線通信システム、無線通信制御方法および無線通信制御プログラムは、主に、次のような特徴的な構成を採用している。
【０００８】
（１）本発明による無線通信システムは、緊急度が異なる複数の放送種別のうち放送内容に応じていずれかの放送種別を設定して放送を行う親局と、該親局からの放送を受信して拡声部を介して出力することによって住民に通知する子局とからなる防災用の無線通信システムにおいて、前記子局は、商用電源の停電を検出する停電検出部と、該商用電源に代わって給電動作を行う内蔵バッテリーと、該内蔵バッテリーの残量を検出する残量検出部と、を少なくとも備えるとともに、前記内蔵バッテリーの残量に関して、あらかじめ任意に定めた残量レベル閾値を用いて、複数の前記放送種別それぞれの放送について前記拡声部からの出力を許可するか否かを判別するための複数の残量領域に分割することにより、前記子局は、前記停電検出部が商用電源の停電を検出して、前記内蔵バッテリーによる給電動作に切り替えた場合に、前記残量検出部が検出した前記内蔵バッテリーの現在の残量が、複数の前記残量レベル閾値により分割された複数の前記残量領域のいずれの領域に属しているかを判別するとともに、前記親局から受信した放送の放送種別を判別して、前記内蔵バッテリーの現在の残量が属する前記残量領域に該当する放送種別の放送であった場合には、受信した放送を前記拡声部から出力して住民に通知し、一方、当該残量領域に該当していない放送種別の放送であった場合には、受信した放送は前記拡声部からの出力を抑止することを特徴とする。
【０００９】
（２）本発明による無線通信制御方法は、緊急度が異なる複数の放送種別のうち放送内容に応じていずれかの放送種別を設定して放送を行う親局と、該親局からの放送を受信して拡声部を介して出力することによって住民に通知する子局とからなり、前記子局への電力供給を行う商用電源が停電した場合の当該子局の動作を制御する防災用の無線通信制御方法であって、前記子局は、商用電源の停電を検出する停電検出ステップと、該商用電源に代わって給電動作を行う内蔵バッテリーと、該内蔵バッテリーの残量を検出する残量検出ステップと、を少なくとも有するとともに、前記内蔵バッテリーの残量に関して、あらかじめ任意に定めた残量レベル閾値を用いて、複数の前記放送種別それぞれの放送について前記拡声部からの出力を許可するか否かを判別するための複数の残量領域に分割することにより、前記子局は、前記停電検出ステップが商用電源の停電を検出して、前記内蔵バッテリーによる給電動作に切り替えた場合に、前記残量検出ステップが検出した前記内蔵バッテリーの現在の残量が、複数の前記残量レベル閾値により分割された複数の前記残量領域のいずれの領域に属しているかを判別するとともに、前記親局から受信した放送の放送種別を判別して、前記内蔵バッテリーの現在の残量が属する前記残量領域に該当する放送種別の放送であった場合には、受信した放送を前記拡声部から出力して住民に通知し、一方、当該残量領域に該当していない放送種別の放送であった場合には、受信した放送は前記拡声部からの出力を抑止することを特徴とする。
【００１０】
（３）本発明による無線通信制御プログラムは、少なくとも前記（２）に記載の無線通信制御方法を、コンピュータによって実行可能なプログラムとして実施していることを特徴とする。
【発明の効果】
【００１１】
本発明の無線通信システム、無線通信制御方法および無線通信制御プログラムによれば、以下のような効果を奏することができる。
【００１２】
親局から放送内容に応じて緊急度が異なる放送種別の放送が子局に送信される場合において、親局からの放送を受信する子局が、停電した商用電源の代わりに内蔵バッテリーによる給電動作に切り替えた状態にある場合には、親局から受信した放送の放送種別により、内蔵バッテリーの現在の残量に応じてあらかじめ定めた出力許可すべき放送であるか否かを判別して、出力が許可された緊急度がより高い放送のみを住民に通知し、緊急度がより低い放送の住民への通知を抑止することにより、バッテリー保障時間が延長され、緊急度が高い緊急放送の住民への通知をより確実に継続させることができる。
【図面の簡単な説明】
【００１３】
【図１】本発明による無線通信システムのシステム構成の一例を示すシステム構成図である。
【図２】図１に示す無線通信システムを構成する子局の内部構成の一例を示すブロック構成図である。
【図３】図１、図２に示す無線通信システムの動作の一例を説明するためのフローチャートである。
【発明を実施するための形態】
【００１４】
以下、本発明による無線通信システム、無線通信制御方法および無線通信制御プログラムの好適な実施形態について添付図を参照して説明する。なお、以下の説明においては、本発明による無線通信システムおよび無線通信制御方法について説明するが、かかる無線通信制御方法をコンピュータにより実行可能な無線通信制御プログラムとして実施するようにしても良いし、あるいは、無線通信制御プログラムをコンピュータにより読み取り可能な記録媒体に記録するようにしても良いことは言うまでもない。
【００１５】
（本発明の特徴）
本発明の実施形態の説明に先立って、本発明の特徴についてその概要をまず説明する。本発明は、親局から放送内容に応じて異なる緊急度を示す放送種別の放送が子局に送信される場合であって、該親局からの放送を受信する子局が商用電源の停電のために内蔵バッテリーによる給電動作に切り替わった場合には、子局は該内蔵バッテリーの残量に応じてあらかじめ定めた緊急レベルを超える放送種別の放送のみを住民に通知する動作に限定し、該緊急レベル以下の放送種別の放送については住民への通知動作を抑止することを主要な特徴としている。而して、子局の内蔵バッテリーの電力消耗を低減し、内蔵バッテリーの動作保障時間を延長することにより、緊急度が高い緊急放送を住民に通知する動作をより確実に継続させることを可能にしている。
【００１６】
例えば、親局が放送する放送種別が示す緊急レベルとして、災害発生等の緊急度が高い「緊急放送」と、緊急度が中程度の行政連絡用の「一般放送」と、緊急度が低い機器保全確認用の「定時放送」と、の３種類が用意されていた場合、３種類の緊急度に対応して、内蔵バッテリーの残量に関して、受信した放送を住民へ通知を行うことを許可するか否かを判別するための残量領域を３つの領域に分割する残量レベル閾値として、「高」と該「高」の値よりも低い「低」の２つの閾値を設ける。そして、内蔵バッテリーの残量が「高」を超える残量レベルであった場合には、内蔵バッテリーによる給電動作を行っている子局は、親局から受信した「緊急放送」、「一般放送」、「定時放送」のいずれであっても住民に通知する動作を行うが、内蔵バッテリーの残量が「高」以下に低下した場合には、子局は、親局から受信した「緊急放送」、「一般放送」、「定時放送」のうち、内蔵バッテリーの残量に応じてあらかじめ定めた緊急レベルよりも高い放送種別の放送のみを住民に通知する動作を行い、あらかじめ定めた該緊急レベル以下に該当する緊急度が低い放送種別の放送については、住民への通知動作を抑止する。
【００１７】
つまり、内蔵バッテリーの残量が「高」以下で、かつ、「低」を超える残量レベルになった場合には、子局は、親局から受信した「緊急放送」、「一般放送」、「定時放送」のうち、緊急度が高い「緊急放送」、緊急度が中程度の「一般放送」の２種類の放送を住民に通知する動作は行うが、緊急度が低い「定時放送」は住民に通知する動作を抑止することによって、内蔵バッテリーの電力消耗を減らし、内蔵バッテリーの残量の低下度合いを軽減する。
【００１８】
さらに、内蔵バッテリーの残量が「低」以下の残量レベルになった場合には、子局は、親局から受信した「緊急放送」、「一般放送」、「定時放送」のうち、緊急度が高い「緊急放送」のみを住民に通知する動作は行うが、緊急度が中程度の「一般放送」および緊急度が低い「定時放送」を住民に通知する動作を抑止することによって、内蔵バッテリーの残量の低下度合いをさらに軽減する。
【００１９】
（実施形態の構成例）
次に、本発明による無線通信システムの構成例について、図１および図２を用いて説明する。図１は、本発明による無線通信システムのシステム構成の一例を示すシステム構成図であり、図２は、図１に示す無線通信システムを構成する子局の内部構成の一例を示すブロック構成図である。
【００２０】
図１に示す通り、本発明の一実施形態を示す無線通信システムは、放送内容に応じて緊急度が異なる放送種別の放送を送信する親局１０と、親局１０から受信した放送を拡声して住民に通知する子局２０とによって構成されている。親局１０は、放送内容の送信指示等の操作を行う操作卓１１と、指示された放送を所定の無線周波数の電波によって送出する基地局１２とを少なくとも含んで構成される。一方、子局２０は、屋外に設置されて、親局１０からの放送を受信して拡声スピーカにより周辺の住民に通知する屋外拡声装置３０、および、住民の各家庭内や住民が集まる公民館内等の屋内に設置されて、親局１０からの放送を受信して拡声スピーカにより各家庭内や公民館内等の屋内の住民に拡声スピーカにより通知する戸別受信機４０から構成される。
【００２１】
子局２０の内部構成は、屋外拡声装置３０と戸別受信機４０とのいずれも、図２のブロック構成図に示すように、親局１０からの放送を受信する受信部２１、子局２０の全体の制御を司る制御部２２、親局１０から受信した放送を制御部２２からの指示に基づいて拡声スピーカから出力する拡声部２３、子局２０の各部位へ電力を供給する電源部２４を少なくとも含んで構成される。ここで、電源部２４は、商用電源の停電を検出する停電検出部２４ａ、停電検出部２４ａにて商用電源の停電を検出した場合に商用電源に代わって子局各部位への電力を供給するための内蔵バッテリー２４ｂ、内蔵バッテリー２４ｂの残量を検出する残量検出部２４ｃを少なくとも含んで構成される。
【００２２】
図１、図２に例示したような無線通信システムにおいて、親局１０は、緊急度が異なる複数の放送種別の放送を、操作卓１１からの指示に基づいて、基地局１２から各子局２０に向けて送出している。緊急度が異なる複数の放送種別としては、例えば、緊急性が高い災害発生等の放送を行う「緊急放送」、緊急性が中程度の行政連絡等の放送を行う「一般放送」、緊急度が低い機器保全用等の放送を行う「定時放送」の３つの放送種別を少なくとも含んでいる。
【００２３】
子局２０は、受信部２１によって親局１０からの放送を受信して、制御部２２の制御にしたがって、受信した放送を拡声部２３から出力して周辺地域の住民または屋内の住民に対して通知する動作を行うとともに、当該子局２０内の各部位に電力供給する商用電源の停電の発生を電源部２４内の停電検出部２４ａによって常時監視している。
【００２４】
子局２０は、停電検出部２４ａによって商用電源の停電を検出すると、商用電源に代わって、電源部２４内に備えている内蔵バッテリー２４ｂから当該子局２０内の各部位に給電を行う動作に切り替わる。内蔵バッテリー２４ｂからの給電動作に切り替わると、制御部２２は、電源部２４内の残量検出部２４ｃが検出した内蔵バッテリー２４ｂの残量を読み取り、親局１０から受信した放送を拡声部２３を介して住民に通知する動作を、内蔵バッテリー２４ｂの残量に応じてあらかじめ定めた緊急レベルに該当する放送種別の放送のみを拡声部２３から出力して住民に通知する動作に切り替える。
【００２５】
例えば、親局１０が放送する放送種別が、前述のように、緊急性が高い「緊急放送」、緊急性が中程度の「一般放送」、緊急度が低い「定時放送」の３種類であった場合には、放送種別の緊急レベルそれぞれに対応してあらかじめ任意に定めた「高」と値が該「高」よりも低い「低」との２つの残量レベル閾値を用いることによって、内蔵バッテリー２４ｂの残量を３つの残量領域にあらかじめ分類しておく。
【００２６】
商用電源の停電が発生して、内蔵バッテリー２４ｂに切り替えて電力供給を行う場合において、残量検出部２４ｃが検出した内蔵バッテリー２４ｂの残量が、任意に定めた「高」よりも高いレベルにあった場合には、制御部２２は、親局１０から受信した放送の放送種別が「緊急放送」、「一般放送」、「定時放送」のいずれであっても、拡声部２３から出力して住民に通知するように制御する。
【００２７】
また、残量検出部２４ｃが検出した内蔵バッテリー２４ｂの残量が、任意に定めた「高」以下でかつ「低」よりも高いレベルになった場合には、制御部２２は、親局１０から受信した放送の放送種別として、「緊急放送」、「一般放送」、「定時放送」のうち、緊急度が高い「緊急放送」と緊急度が中程度の「一般放送」の２種類の放送のみを拡声部２３から出力して住民に通知し、緊急度が低い「定時放送」は拡声部２３から出力しないように制御する。
【００２８】
さらに、内蔵バッテリー２４ｂの残量が低下して、残量検出部２４ｃが検出した内蔵バッテリー２４ｂの残量が、任意に定めた「低」以下になった場合には、制御部２２は、親局１０から受信した放送の放送種別として、「緊急放送」、「一般放送」、「定時放送」のうち、緊急度が高い「緊急放送」のみを拡声部２３から出力して住民に通知し、緊急度が中程度の「一般放送」、緊急度が低い「定時放送」の２種類の放送は拡声部２３から出力しないように制御する。
【００２９】
而して、子局２０は、商用電源の停電時に拡声部２３から出力する放送を、内蔵バッテリー２４ｂの残量に応じて緊急度がより低い放送種別の放送を抑止して、緊急度の高い放送に限定するように制御することにより、内蔵バッテリー２４ｂのバッテリー保障時間を延長することができ、緊急性が高い「緊急放送」をより確実に住民に通知することが可能になる。
【００３０】
（実施形態の動作の説明）
次に、本発明による無線通信システムの一実施形態として図１、図２に示した無線通信システムの動作の一例について、子局２０への商用電源が停電になった場合の動作について、図３のフローチャートを用いてさらに説明する。図３は、図１、図２に示す無線通信システムの動作の一例を説明するためのフローチャートであり、親局１０からの放送を受信した子局２０へ電力供給する商用電源が停電になった場合の当該子局２０側の動作についてその一例を示している。
【００３１】
なお、本フローチャートにおいては、親局１０が放送する緊急度が異なる複数の放送種別として、前述のように、緊急度が高い「緊急放送」、緊急度が中程度の「一般放送」、緊急度が低い「定時放送」の３種類を有している場合であり、かつ、親局１０の基地局１２から放送される無線電波には、放送内容を示す情報の他に、放送の送信先を示す呼出先情報と、放送の放送種別を示す放送種別情報とが少なくとも含まれているものとする。また、子局２０は、電源部２４内の停電検出部２４ａにより商用電源の停電を検出すると、該商用電源に代わって、電源部２４内の内蔵バッテリー２４ｂからの給電動作に自動的に切り替わっているものとする。
【００３２】
図３のフローチャートにおいて、まず、子局２０の受信部２１は、親局１０からの放送として該親局１０の基地局１２から送信されてくる無線電波を受信して、該無線電波に含まれている呼出先情報を取り出して、受信した放送が自局向けの放送であるか否かを確認する（ステップＳ１）。受信した放送が自局向けの放送ではなかった場合は（ステップＳ１のＮＯ）、該放送信号を無視して、処理を終了する。一方、自局向けの放送であった場合には（ステップＳ１のＹＥＳ）、受信部２１は、受信した自局向けの放送を制御部２２に送出する。受信部２１から自局向けの放送を受け取った制御部２２は、当該子局２０に対して電力供給している商用電源が停電しているか否かを、電源部２４内の停電検出部２４ａからの出力に基づいて確認する（ステップＳ２）。
【００３３】
商用電源が停電していなかった場合には（ステップＳ２のＮＯ）、受信部２１から受け取った自局向けの放送を、放送種別が「緊急放送」、「一般放送」、「定時放送」の如何に関係なく、すべて、拡声部２３から出力するために、ステップＳ４に移行する。一方、商用電源が停電中の状態になっていた場合には（ステップＳ２のＹＥＳ）、制御部２２は、子局２０の各部位に対する商用電源からの給電動作が、電源部２４内の内蔵バッテリー２４ｂからの給電動作に切り替わっていることを確認する（ステップＳ３）。
【００３４】
しかる後、電源部２４内の残量検出部２４ｃからの出力に基づいて、内蔵バッテリー２４ｂの残量を、放送の緊急度を示す３種類の放送種別に対応して３種類の残量領域に分割するための２つの残量レベル閾値としてあらかじめ任意に定めた「高」、「低」の閾値それぞれと比較する（ステップＳ４）。ここで、２つの残量レベル閾値「高い」、「低」によって分割される３種類の残量領域は、３種類の放送種別それぞれの放送を、拡声部２３から出力することを許可するか否かを判別するための内蔵バッテリー２４ｂの残量レベルを分類しているものである。
【００３５】
内蔵バッテリー２４ｂの残量が、あらかじめ定めた「高」の残量レベル閾値よりも高い場合には（ステップＳ４の「高」よりも高い場合）、受信部２１から受け取った自局向けの放送を、放送種別が「緊急放送」、「一般放送」、「定時放送」の如何に関係なく、いずれでも、拡声部２３から出力して住民に対して通知するように制御する（ステップＳ５）。
【００３６】
また、内蔵バッテリー２４ｂの残量が、あらかじめ定めた「高」の残量レベル閾値以下で、かつ、「低」よりも高い場合には（ステップＳ４の「高」以下で、かつ、「低」よりも高い場合）、受信部２１から受け取った自局向けの当該放送に含まれている放送種別情報を取り出して、当該放送の放送種別が「緊急放送」、「一般放送」のいずれかであった場合には、拡声部２３から出力して住民に対して通知するように制御するが、当該放送の放送種別が「定時放送」であった場合には、拡声部２３からの出力を抑止するように制御する（ステップＳ６）。
【００３７】
さらには、内蔵バッテリー２４ｂの残量が、あらかじめ定めた「低」の残量レベル閾値以下の場合には（ステップＳ４の「低」以下の場合）、受信部２１から受け取った自局向けの当該放送に含まれている放送種別情報を取り出して、当該放送の放送種別が「緊急放送」であった場合にのみ、拡声部２３から出力して住民に対して通知するように制御するが、当該放送の放送種別が「一般放送」または「定時放送」であった場合には、拡声部２３からの出力を抑止するように制御する（ステップＳ７）。
【００３８】
以上のような動作を行うことにより、子局２０は、商用電源の停電時には内蔵バッテリー２４ｂの残量レベルに応じて、親局１０からの放送を拡声部２３から出力する動作を制御し、内蔵バッテリー２４ｂの電力消費を低減させ、当該子局２０の動作が可能になるバッテリー保障時間を延長させることができる。
【００３９】
なお、以上の説明においては、親局１０から放送される放送の放送種別が、「緊急放送」、「一般放送」、「定時放送」の３種類の場合について説明したが、本発明は、かかる場合のみに限るものではなく、放送の緊急度に応じて、任意の複数の放送種別に分類されて構成されていても、全く同様に扱うことができることは明らかである。また、子局２０として、図１に示したように、屋外拡声装置３０および戸別受信機４０からなっている場合について例示したが、さらに、他の形態の放送受信局を含むようにしても構わない。例えば、屋外設置して親局１０からの放送を拡声して付近の住民に通知する拡声放送機能のみならず、親局１０からの無線電波とは異なるＦＭ電波等の無線電波を使用して親局１０からの放送を再送信する再送信機能をも併せ持った再送信局を、子局２０の対象としてさらに含むようにしても構わない。
【００４０】
（実施形態の効果の説明）
以上に詳細に説明したように、本発明の実施形態においては、次のような効果が得られる。
【００４１】
すなわち、商用電源の停電時には、子局２０の制御部２２は、商用電源に代わって給電を行う電源部２４の内蔵バッテリー２４ｂの残量に応じて、親局１０から受信部２１を介して受け取った放送の放送種別が示す緊急度を判別して、拡声部２３から出力する放送を、緊急度が高いものに限定し、緊急度が低い放送の拡声部２３からの出力を抑止しているので、内蔵バッテリー２４ｂの電力消耗を減らし、内蔵バッテリー２４ｂのバッテリー保障時間を延長することを可能にし、而して、緊急度が高い放送を住民に通知する動作を、より確実に継続させることができる。
【００４２】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００４３】
１０      親局
１１      操作卓
１２      基地局
２０      子局
２１      受信部
２２      制御部
２３      拡声部
２４      電源部
２４ａ    停電検出部
２４ｂ    内蔵バッテリー
２４ｃ    残量検出部
３０      屋外拡声装置
４０      戸別受信機
【図１】
2013207317.tif 000003
【図２】
2013207317.tif 000004
【図３】
2013207317.tif 000005